(57)【要約】【課題】表示電極の配列形態が共用型であるプラズマディスプレイパネルによる安定したプログレッシブ表示の実現を目的としている。【解決手段】セル間の電極面積のばらつきが大きくなりにくい形状の表示電極をもつプラズマディスプレイパネル構造とアドレッシングと前半と後半とに分ける駆動シーケンスとを組み合わせる。前半アドレッシングおよび後半アドレッシングの一方の対象は、行選択に用いない第１表示電極のみに注目したときの配列順位が奇数である第１表示電極が配置された行であり、他方の対象は配列順位が偶数である第１表示電極が配置された行である。【選択図】      図３
2005026011.tif 000002
【特許請求の範囲】
【請求項１】
プログレッシブ形式の画像表示を行うプラズマディスプレイ装置であって、
ＡＣ型のプラズマディスプレイパネルとそれを駆動する駆動ユニットとを備えており、
前記プラズマディスプレイパネルは、
行および列にマトリクス配列されたセルからなる画面と、
前記画面を列ごとに区画する垂直壁および行ごとに区画する水平壁からなる放電障壁と、
前記画面に行電極として配列された複数の第１表示電極と、
前記第１表示電極と交互に並ぶように配列され、隣り合う行が１本の行電極を共有する形式の行電極アレイを前記第１表示電極とともに構成する複数の第２表示電極と、
前記画面に列電極として配列されたアドレス電極と、を有し、
前記第２表示電極のそれぞれは、前記水平壁よりも幅が大きく、１行の全長にわたって幅が一定であり、かつ前記水平壁と重なる部分の両側に前記水平壁に沿って一定間隔で並ぶ複数の穴が空いた帯状に形成されており、
前記駆動ユニットは、
前記第１表示電極の電位を変化させる第１ドライバと、
前記第２表示電極の電位を変化させる第２ドライバと、
前記アドレス電極の電位を変化させる第３ドライバと、
前記第１ドライバ、第２ドライバ、および第３ドライバの動作を制御するコントローラと、を有し、
前記コントローラによる制御を規定する駆動シーケンスは、
（Ａ）  全セルの壁電圧を表示データに対応させるアドレッシングが、前半アドレッシングと後半アドレッシングとに分かれること
（Ｂ）  前記前半アドレッシングと後半アドレッシングとの間に、後半アドレッシングのための電荷調整が行われること
（Ｃ）  前記後半アドレッシングの後に、全ての点灯すべきセルにおいて表示すべき明るさに応じた回数の表示放電を生じさせること
（Ｄ）  前記前半アドレッシングおよび後半アドレッシングの一方の対象は、前記第１表示電極のみに注目したときの配列順位が奇数である第１表示電極が配置された行であり、他方の対象は配列順位が偶数である第１表示電極が配置された行であること、を有する
ことを特徴とするプラズマディスプレイ装置。
【請求項２】
前記第２表示電極のそれぞれにおける１行の表示に関わる部分は梯子状であり、前記水平壁と重なる位置で１行分のセルに跨る第１の水平帯パターンと、前記水平壁と重ならない位置で１行分のセルに跨る第２の水平帯パターンと、前記垂直壁と重ならない位置で前記第１の水平帯パターンと第２の水平帯パターンとを連結する複数の垂直帯パターンとからなる
請求項１記載のプラズマディスプレイ装置。
【請求項３】
前記第２表示電極のそれぞれにおいて、当該第２表示電極と配置位置が重なる水平壁と当該第２表示電極の第１の水平帯パターンとの平面視距離が３０〜８０μｍの範囲内の値である
請求項２記載のプラズマディスプレイパネル装置。
【請求項４】
前記垂直帯パターンは、全てのセルに均等に配置されている
請求項２記載のプラズマディスプレイ装置。
【請求項５】
前記画面の行は、発光色が赤色のセル、発光色が緑色のセル、および発光色が青色のセルを少なくとも１個ずつ含むセル組の集合であって、
前記垂直帯パターンは、前記３つの発光色の中から選択された１色または２色と同じ発光色のセルのみに配置されている
請求項２記載のプラズマディスプレイ装置。
【請求項６】
前記垂直帯パターンは、発光色で分類した３種のセルのうち、輝度の大きいものから順に選択された１種または２種のセルのみに配置されている
請求項５記載のプラズマディスプレイ装置。
【請求項７】
前記垂直帯パターンは、発光色で分類した３種のセルのうち、第２表示電極とアドレス電極との間の放電開始電圧が高いものから順に選択された１種または２種のセルのみに配置されている
請求項５記載のプラズマディスプレイ装置。
【請求項８】
前記垂直帯パターンは、発光色が緑色のセルのみに配置されている
請求項５記載のプラズマディスプレイ装置。
【請求項９】
前記アドレス電極のそれぞれは、前記第２表示電極と対向する部分の幅が前記第１表示電極と対向する部分の幅よりも大きい帯状に形成されている
請求項１記載のプラズマディスプレイ装置。
【請求項１０】
前記第２表示電極のそれぞれは、当該第２表示電極の幅を決めるパターニングされた透明導電膜と、当該透明導電膜における幅方向の中央部分に重なるパターニングされた帯状の金属膜とからなり、
前記金属膜の幅は前記水平壁の幅よりも２０μｍ以上小さい
請求項２記載のプラズマディスプレイ装置。
【発明の詳細な説明】
【０００１】
【発明の属する技術分野】
本発明は、プラズマディスプレイパネルとその駆動ユニットとで構成されるプラズマディスプレイ装置に関する。
【０００２】
プログレッシブ形式の画像表示はインタレース形式の画像表示に比べて輝度の点で優れている。高解像度の安定したプログレッシブ形式の画像表示の実現に向けて、プラズマディスプレイ装置の改良が進められている。
【０００３】
【従来の技術】
カラー表示用のＡＣ型プラズマディスプレイパネルにおいて面放電形式が採用されている。ここでいう面放電形式は、セルの発光量を決める表示放電において陽極および陰極となる表示電極を、前面側または背面側の基板の上に平行に配列し、表示電極対と交差するようにアドレス電極を配列する形式である。
【０００４】
面放電形式における表示電極の配列には２つの形態がある。便宜的に一方を単独型、他方を共用型と呼称する。単独型は、マトリクス表示の行ごとに一対ずつ表示電極を配列するものである。表示電極の総数は行数の２倍となる。単独型では、各行が制御の上で独立しているので比較的に簡単な駆動シーケンスによってプログレッシブ表示を実現することができる。しかし、隣り合う行どうしの電極間隙（逆スリットと呼称される）が非発光領域となるので、画面の利用率は小さい。共用型は、行数に１を加えた本数の表示電極を等間隔に配列する形態である。共用型では、隣り合う表示電極どうしが面放電のための電極対を構成し、全ての表示電極間隙が面放電ギャップとなる。共用型は、垂直解像度（行数）および画面の利用率の点で単独型よりも優れている。このような単独型および共用型のどちらであっても、対をなす表示電極が平行であるので、少なくとも表示電極に沿って並ぶセル間の放電干渉を防止する隔壁（放電障壁）が必要である。
【０００５】
隔壁のパターンには、マトリクス表示の列ごとに放電空間を区画するストライプパターンと、列および行ごと（つまりセルごと）に放電空間を区画するメッシュパターンとがある。
【０００６】
従来、ストライプパターンの隔壁と共用型の表示電極とをもつプラズマディスプレイパネルには、奇数行と偶数行とを交互に点灯させるインタレース形式の駆動シーケンスが適用されている。この駆動シーケンスは特開平９−１６０５２５号公報に開示されている。また、この種のプラズマディスプレイパネルにおける表示電極形状の変形例が特開２０００−１１３８２８号公報に開示されている。同公報の図３には、セルごとにＴ字状にパターニングされた表示電極（主電極）が記載され、同公報の図１１には、１行に携わる部分が梯子状である表示電極が記載されている。電極形状を部分的に切り欠いた帯状にすることの効果として、同公報は、列方向の放電の拡がりが抑制されること、および放電電流の最大値が低下することを挙げている。
【０００７】
一方、行間の放電干渉が起こらないメッシュパターンの隔壁と共用型の表示電極とをもつプラズマディスプレイパネルによって、プログレッシブ形式の表示を実現するための駆動シーケンスが、特開２００３−５６９９号公報に記載されている。この駆動シーケンスは、行を特定の規則に従って２つのグループに分け、アドレッシングをグループごとに行い、一方のグループに対するアドレッシングと他方のグループに対するアドレッシングとの間に電荷調整を含むリセットステップを介在させるものである。
【０００８】
【特許文献１】
特開２０００−１１３８２８号公報
【０００９】
【特許文献２】
特開２００３−５６９９号公報
【００１０】
【発明が解決しようとする課題】
上記特開２００３−５６９９号公報に記載されている駆動シーケンスによるプログレッシブ表示では、複雑な壁電荷制御を伴うので、プラズマディスプレイパネルにおけるセル間の動作条件のばらつきをできるだけ小さくする必要がある。動作条件のばらつきは、点灯ミスを招き、表示を不安定にする。詳しくは、パネル外囲器を構成する基板対の貼り合わせのずれ、隔壁で決まるセル寸法のばらつきなどに起因して、表示電極の面積が設計値よりも小さくなったセルでは、アドレス放電を発生させるための電荷形成が不十分となって、アドレス放電の放電開始電圧が他のセルよりも高くなる。この場合、アドレス放電に失敗する確率が高い。逆に、表示電極の面積が設計値よりも大きくなったセルでは、アドレス放電によって過剰な電荷が形成され、誤放電の発生する確率が高い。
【００１１】
特に、プラズマディスプレイパネルの画面サイズが大きいほど、また高精細であるほど、セルのばらつきが顕著になりやすく、安定したプログレッシブ表示の実現が難しい。
【００１２】
本発明は、表示電極の配列形態が共用型であるプラズマディスプレイパネルによる安定したプログレッシブ表示の実現を目的としている。
【００１３】
【課題を解決するための手段】
本発明においては、セル間の電極面積のばらつきが大きくなりにくい形状の表示電極をもつプラズマディスプレイパネル構造と既知の駆動シーケンスとを組み合わせる。
【００１４】
本発明に係るプラズマディスプレイ装置は、ＡＣ型のプラズマディスプレイパネルとそれを駆動する駆動ユニットとを備えている。プラズマディスプレイパネルは、行および列にマトリクス配列されたセルからなる画面と、画面を列ごとに区画する垂直壁および行ごとに区画する水平壁からなる放電障壁と、画面に行電極として配列された複数の第１表示電極と、第１表示電極と交互に並ぶように配列され、隣り合う行が１本の行電極を共有する形式の行電極アレイを第１表示電極とともに構成する複数の第２表示電極と、画面に列電極として配列されたアドレス電極と、を有している。第２表示電極のそれぞれは、水平壁よりも幅が大きく、１行の全長にわたって幅が一定であり、かつ水平壁と重なる部分の両側に水平壁に沿って一定間隔で並ぶ複数の穴が空いた帯状に形成されている。駆動ユニットは、第１表示電極の電位を変化させる第１ドライバと、第２表示電極の電位を変化させる第２ドライバと、アドレス電極の電位を変化させる第３ドライバと、第１ドライバ、第２ドライバ、および第３ドライバの動作を制御するコントローラと、を有している。コントローラによる制御を規定する駆動シーケンスは、（Ａ）全セルの壁電圧を表示データに対応させるアドレッシングが、前半アドレッシングと後半アドレッシングとに分かれること、（Ｂ）前半アドレッシングと後半アドレッシングとの間に電荷調整が行われること、（Ｃ）後半アドレッシングの後に、全ての点灯すべきセルにおいて表示すべき明るさに応じた回数の表示放電を生じさせること、（Ｄ）前半アドレッシングおよび後半アドレッシングの一方の対象は、第１表示電極のみに注目したときの配列順位が奇数である第１表示電極が配置された行であり、他方の対象は配列順位が偶数である第１表示電極が配置された行であること、を特徴として有する。
【００１５】
【発明の実施の形態】
〔装置の概略〕
図１はプラズマディスプレイ装置の構成図である。プラズマディスプレイ装置１００は、マトリクス表示の行（ｒｏｗ）および列（ｃｏｌｕｍｎ）を構成する多数のセルを有したＡＣ型のプラズマディスプレイパネル（ＰＤＰ）１と、セルの発光を制御する駆動ユニット７０とから構成されている。
【００１６】
プラズマディスプレイパネル１の画面５１には、面放電形式の表示放電を生じさせるための電極対を構成するｎ＋１本の第１の表示電極Ｘとｎ本の第２の表示電極Ｙとが行電極として１本ずつ交互に配列され、これら表示電極Ｘ，Ｙと交差するようにアドレス電極Ａが列電極として配列されている。表示電極Ｘ，Ｙは水平方向に延び、アドレス電極Ａは垂直方向に延びている。表示電極Ｘ，Ｙの総数（２ｎ＋１）は１列のセル数２ｎに１を加えた数であり、アドレス電極Ａの総数ｍは列数と同数である。図において表示電極Ｘ，Ｙおよびアドレス電極Ａの参照符号の添字は配列順位を示す。
〔駆動ユニットの構成〕
駆動ユニット７０は、駆動制御を担うコントローラ７１、駆動電力を出力する電源回路７３、表示電極Ｘの電位を変化させるＸドライバ７６（第１ドライバ）、表示電極Ｙの電位を変化させるＹドライバ７７（第２ドライバ）、およびアドレス電極Ａの電位を変化させるＡドライバ７８（第３ドライバ）を有している。Ｙドライバ７７は、ｎ本の表示電極Ｙに対する個別の電位制御を可能にするスキャン回路を含む。
【００１７】
駆動ユニット７０にはＴＶチューナ、コンピュータなどの画像出力装置からＲ，Ｇ，Ｂの３色の輝度レベルを示すフレームデータＤｆが、各種の同期信号とともに入力される。フレームデータＤｆはコントローラ７１の中のフレームメモリに一時的に記憶される。コントローラ７１は、フレームデータＤｆを階調表示のためのサブフィールドデータＤｓｆに変換してＡドライバ７８へシリアル転送する。サブフィールドデータＤｓｆは１セル当たり１ビットの表示データであって、その各ビットの値は該当する１つのサブフィールドにおけるセルの発光の要否、厳密にはアドレス放電の要否を示す。
〔セル構造の概要〕
図２はプラズマディスプレイパネル１のセル構造を示す。図２ではプラズマディスプレイパネル１における３×２個のセルに対応した部分を、内部構造がよくわかるように一対の基板構体１０，２０を分離させて描いてある。
【００１８】
プラズマディスプレイパネル１は一対の基板構体１０，２０からなる。基板構体とは、画面サイズ以上の大きさのガラス基板と他の少なくとも１種のパネル構成要素とからなる構造体を意味する。前面側の基板構体１０は、ガラス基板１１、表示電極Ｘ，Ｙ、誘電体層１７、および保護膜１８から構成される。表示電極Ｘ，Ｙは誘電体層１７および保護膜１８によって被覆されている。背面側の基板構体２０は、ガラス基板２１、アドレス電極Ａ、絶縁層２４、メッシュパターンの放電障壁である隔壁２９、および蛍光体層２８Ｒ，２８Ｇ，２８Ｂから構成される。隔壁２９は、画面を列ごとに区画する複数の垂直壁２９１と、行ごとに区画する複数の水平壁２９２とが一体になった構造体である。隔壁２９における垂直壁２９１と水平壁２９２とが交差する部分は、垂直壁２９１と水平壁２９２との共通部分である。蛍光体層２８Ｒ，２８Ｇ，２８Ｂは、放電ガスが放つ紫外線によって励起されて発光する。図中の括弧内のアルファベットＲ，Ｇ，Ｂは蛍光体の発光色を示す。
〔電極構造〕
図３は電極配置の模式図である。図３では３行４列のマトリクスが例示されており、個々のセルの位置が一点鎖線の楕円で示されている。
【００１９】
表示電極Ｘ１  ，Ｘ２  ，Ｙ１  ，Ｙ２  のそれぞれは、面放電ギャップを形成する太い帯状の透明導電膜４１と、電気抵抗を下げるバス導体である細い帯状の金属膜４２とから構成されている。隣り合う表示電極の組、すなわちＸ１  とＹ１  、Ｙ１  とＸ２  、およびＸ２  とＹ２  が、面放電のための電極対（陽極および陰極）を構成する。配列の両端の表示電極Ｘ１  ，Ｙ２  は１行の表示に携わり、他の表示電極Ｘ２  ，Ｙ１  は隣り合う２行の表示に携わる。つまり、表示電極配列は共用型である。
【００２０】
表示電極Ｘ１  ，Ｘ２  ，Ｙ１  ，Ｙ２  のうち、表示電極Ｙ１  ，Ｙ２  がアドレッシングにおいて行選択のためのスキャン電極とされる。したがって、特に、表示電極Ｙ１  ，Ｙ２  ついては、セル間の動作条件のばらつきの生じにくい形状が適用される。なお、例示では、複数回の表示放電を安定に生じさせるため、表示電極Ｘ１  ，Ｘ２  が表示電極Ｙ１  ，Ｙ２  と同じ形状に形成される。
【００２１】
図４は表示電極Ｙの構成を示す図である。図４（Ａ）〜（Ｃ）は平面図、図４（Ｄ）は断面図である。表示電極の形状は透明導電膜によって決まるので、図４（Ａ）〜（Ｃ）では金属膜の図示を省略してある。
【００２２】
表示電極Ｙは、図４（Ａ）のように、水平壁２９２よりも幅が大きく、１行の全長にわたって幅が一定であり、かつ水平壁２９２と重なる部分の両側に水平壁２９２に沿って一定間隔で並ぶ複数の四角形の穴４５が空いた、線対称の帯状に形成される。各穴４５は水平壁２９２と部分的に重なる大きさをもつ。表示電極Ｙを列方向に２分割した２つの部分ｙ１，ｙ２のそれぞれが１行の表示に関わる。電極形状をより詳しく説明する。
【００２３】
図４（Ｂ）のように、片側の部分ｙ１は梯子状であり、水平壁２９２と重なる位置で１行分のセルに跨る第１の水平帯パターン４１１と、水平壁２９２と重ならない位置で１行分のセルに跨る第２の水平帯パターン４１２と、垂直壁２９１と重ならない位置で第１の水平帯パターン４１１と第２の水平帯パターン４１２とを連結する複数の垂直帯パターン４１３とからなる。垂直帯パターン４１３で分断された水平帯パターンどうしの間隙が上述の穴４５である。同様に残りの片側の部分ｙ２も図４（Ｃ）のとおり梯子状であり、水平壁２９２と重なる位置で１行分のセルに跨る第１の水平帯パターン４１５と、水平壁２９２と重ならない位置で１行分のセルに跨る第２の水平帯パターン４１６と、垂直壁２９１と重ならない位置で第１の水平帯パターン４１５と第２の水平帯パターン４１６とを連結する複数の垂直帯パターン４１７とからなる。垂直帯パターン４１３、４１７は、垂直壁２９１どうしの間隙の中央に間隙ごとに１個ずつ設けられ、各セルの電極形状は等しい。
【００２４】
表示電極Ｙに穴４５が空いていることにより、プラズマディスプレイパネル１の製造において表示電極Ｙと水平壁２９２との位置決めが垂直方向にずれても、穴４５が空いていない場合と比べて、各セルにおける電極面積の増減量が少ない。表示電極Ｙの配置が水平壁２９２に対して傾くと、行内のセル間で電極面積の増減量に差が生じるものの、その差は穴４５が空いていない場合と比べて軽微である。垂直帯パターン４１３、４１７が垂直壁２９１どうしの間隙の中央に位置することにより、表示電極Ｙと水平壁２９２との位置決めが水平方向にずれても、各セルの電極面積は変わらない。さらに、水平帯パターン４１２，４１６が１行分のセルに跨ることにより、セルごとに分断されている場合（例えばＴ字状にパターニングされた電極）と比べて、表示電極Ｙと水平壁２９２との位置決めが垂直方向にずれても、電極と隔壁との位置関係に依存する放電特性の変化が軽微である。
【００２５】
図４（Ｄ）に示される水平帯パターン４１２，４１６の幅Ｗ１、および水平帯パターン４１２，４１６と水平壁２９２の上面との平面視距離Ｄ１は、セルサイズに応じて適切に選定すべきである。具体例は後述する。また、表示電極Ｙの位置ずれによって２行の動作条件が不均等になるのを防ぐため、金属膜４２の幅Ｗ２は、水平壁２９２の頂上部の幅Ｗ３より小さくするのが望ましい。位置決めの精度からみて幅Ｗ２と幅Ｗ３の差が２０μｍ以上であればよい。
【００２６】
図５は表示電極の構成の変形例を示す図である。表示電極Ｙ’は、全体形状が梯子状の透明導電膜４１’と、透明導電膜４１’の幅方向中央に重なる細い帯状の金属膜４２とからなる。表示電極Ｙ’の形状も図４（Ａ）の表示電極Ｙと同様に、金属膜４２に沿って一定間隔で並ぶ複数の四角形の穴４５’が空いた線対称の帯状である。
〔駆動方法〕
次に、プラズマディスプレイ装置１００におけるプラズマディスプレイパネル１の駆動方法を説明する。プラズマディスプレイパネル１の駆動には、特開２００３−５６９９号公報に記載されているプログレッシブ表示のための駆動方法が適用される。
【００２７】
図６はフレーム分割の概念図である。入力画像である時系列のフレームＦは、輝度の重み付けをしたｑ個のサブフレームＳＦ１  ，ＳＦ２  ，ＳＦ３  ，ＳＦ４  ，…ＳＦｑ  （以下、表示順序を示す添字を省略する）に置き換えられる。輝度の重み｛Ｗ１  ，Ｗ２  ，Ｗ３  ，Ｗ４  ，…Ｗｑ  ｝は表示放電の回数を規定する。サブフレーム配列は重みの順でも他の順序でもよい。ただし、ｑ個のサブフレームＳＦには、２通りのアドレス順序が交互に適用される。ここで、一方のアドレス順序を適用するサブフレームを“サブフレームＡ”、他方のアドレス順序を適用するサブフレームを“サブフレームＢ”と定義する。例示ではサブフレーム数ｑが偶数であり、どのフレームＦにおいても、表示順位が奇数のサブフレームが“サブフレームＡ”であり、表示順位が偶数のサブフレームが“サブフレームＢ”である。図中の括弧内のアルファベットＡ，Ｂはこの区別を示している。
【００２８】
図７はサブフレーム期間の内訳を示す。１つのサブフレームに割り当てられるサブフレーム期間ＴＳＦは、前半リセット期間ＴＲ１、前半アドレス期間ＴＡ１、後半リセット期間ＴＲ２、後半アドレス期間ＴＡ２、およびサステイン期間ＴＳに分かれる。
【００２９】
前半リセット期間ＴＲ１は、後述する第１および第２のグループの一方に属する行について電荷調整をするための期間である。前半アドレス期間ＴＡ１は、電荷調整を終えた行を対象にアドレッシングをするための期間である。後半リセット期間ＴＲ２は、アドレッシングを終えた行がもつアドレス情報を保持しつつ残りの行について電荷調整をするための期間である。そして、サステイン期間ＴＳは、第１および第２の両グループの行において、表示すべき明るさに応じた回数の表示放電を生じさせるための期間である。
【００３０】
第１のグループに属する行とは、行電極のうちの表示電極Ｘのみに注目したときの配列順位が奇数である表示電極Ｘ（以下、これを表示電極Ｘｏｄｄという）が配置された行である。第２グループに属する行とは、配列順位が偶数である表示電極Ｘ（以下、これを表示電極Ｘｅｖｅｎという）が配置された行である。電荷調整とは、電極間に瞬時値が緩やかに増加する波形の電圧を印加し、それによって印加電圧と放電開始電圧との差に相当する壁電圧を生じさせるステップである。電荷調整は、アドレッシングの準備としてアドレッシング対象のセルの壁電荷を均等化するいわゆるリセットステップの一種である。アドレッシングとは、表示データに従ってサステイン期間ＴＳに点灯すべきセルの壁電圧（絶対値）を点灯すべきでないセルの壁電圧よりも高くするステップである。
【００３１】
図８は駆動シーケンス図、図９はアドレッシングにおける行選択の順序を示す図である。サブフレームＡでは、第１のグループの行（ＬＩＮＥ１，４，５，８，９、…２ｎ）についてアドレッシングを行った後に、第２のグループの行（ＬＩＮＥ２，３，６，７，１０，１１、…２ｎ−１）についてアドレッシングが行われる。これに対して、サブフレームＢでは、第２のグループの行についてアドレッシングを行った後に、第１のグループの行についてアドレッシングが行われる。このようにアドレス順序をサブフレームごとに切り換える場合には、第１リセット期間ＴＲ１において電荷調整に先立って全セルの電荷の均等化を行う必要がない。均等化の省略はアドレッシング準備ステップの所要時間を短縮する。ただし、プログレッシブ表示を実現する上で、アドレス順序の切換えは必須ではない。サブフレームＡとサブフレームＢの分類を行わず、全てのサブフレームについて同じ順序でアドレッシングを行ってもよい。
【００３２】
なお、図８のシーケンスにおいて、後半リセット期間ＴＲ２で行われるリセット１は、前半アドレッシングで放電させなかったセルに対して、後半アドレッシングで反応しないように電荷の消去を行うステップであり、リセット２は所定の電荷の形成とそれに続く電荷調整とを合わせたステップである。
【００３３】
図１０は駆動電圧波形の一例を示す図である。
前半リセット期間ＴＲ１では、対象行の表示電極Ｘ（ＸｏｄｄまたはＸｅｖｅｎ）を電位Ｖｘにバイアスし、表示電極Ｙにランプ波形パルスを印加する。後半リセット期間ＴＲ２の駆動は３段階である。第１段階ではアドレス電極Ａをバイアスし、表示電極Ｙにランプ波形パルスを印加する。第２段階では、対象行の表示電極Ｘ（ＸｅｖｅｎまたはＸｏｄｄ）への到達電位Ｖｑのランプ波形パルスの印加と、残りの表示電極Ｘ（ＸｏｄｄまたはＸｅｖｅｎ）への振幅Ｖｓの矩形パルスの印加と、表示電極Ｙへの到達電位Ｖｓのランプ波形パルスの印加とを並行して行う。
【００３４】
前半アドレス期間ＴＡ１および後半アドレス期間ＴＡ２におけるアドレッシングに際しては、対象行の表示電極Ｘ（ＸｏｄｄまたはＸｅｖｅｎ）を電位Ｖｘにバイアスし、対象行の表示電極Ｙに順にスキャンパルスＰｙを印加する。スキャンパルスＰｙの印加による行選択に同期させて、表示データで特定されるアドレス電極Ａに振幅ＶａのアドレスパルスＰａを印加する。スキャンパルスＰｙおよびアドレスパルスＰａの両方が印加されたセルで、アドレス放電が生じる。アドレッシングの開始時点では、その直前の電荷調整によって、アドレッシング対象の行はアドレス放電が生じる状態とされ、アドレッシング対象でない行はアドレス放電が生じない状態とされている。
【００３５】
サステイン期間ＴＳでは、表示電極Ｙと表示電極Ｘ（ＸｏｄｄおよびＸｅｖｅｎ）に交互に振幅ＶｓのサステインパルスＰｓを印加する。それ以前のアドレッシングで所定量の壁電荷が形成されたセルにおいて、サステインパルスＰｓの印加ごとに表示放電である面放電が生じる。
【００３６】
図１０の波形における主要な電圧の典型例を次に示す。
Ｖｑ＝−１４０ボルト、Ｖｘ＝９０ボルト、Ｖｓ＝１７０ボルト、Ｖｙ＝−１７０ボルト、Ｖｓｃ＝１２０ボルト、Ｖａ＝７０ボルト
以上の駆動シーケンスにおいては、前半のアドレッシングで電荷の形成された点灯すべきセルの電荷量をサステイン期間ＴＳまで保持しなければならない。しかし、後半のアドレッシングの準備として電荷調整をするために、表示電極Ｙに対して、ある程度高い電圧を印加しなければならない。点灯すべきセルの表示電極Ｙの近傍には、前半のアドレッシングで正極性の電荷が蓄積するので、蓄積量が過剰である場合には、前半のアドレッシングの後に表示電極Ｙに正極性の電圧を印加した時点で、過剰な電荷をもつセルで誤放電が生じ、その結果、表示放電が生じないことがある。したがって、電荷の蓄積量を適正に制御することが重要である。上述の形状をもつ表示電極Ｙは、セル間の動作条件のばらつきを低減する効果をもつので、上述の駆動シーケンスによるプログレッシブ表示に好適である。
〔表示電極の寸法条件〕
図１１および図１２は、表示電極のパターン寸法のみが異なる４２インチサイズの画面をもつ複数のプラズマディスプレイパネルを作製し、面放電ギャップ長（表示電極間距離）Ｓｇをパラメータとして、輝度と発光効率のそれぞれについての平面視距離依存性を調べた結果を示す。平面視距離は、図４（Ｂ）〜（Ｄ）に示される水平帯パターン４１２，４１６と水平壁２９２の上面との距離Ｄ１である。図１１から距離Ｄ１が８０μｍを超えると輝度の低下が顕著になることが分かる。また、図１２のとおり、発光効率は距離Ｄ１が大きくなるにつれて低下する。しかしながら、距離Ｄ１が小さいほど、製造時の位置合わせのずれによるセルの電極面積への影響が大きい。駆動の信頼性の観点では距離Ｄ１が大きいのがよい。量産における位置合わせの精度を考慮すると、距離Ｄ１を３０μｍ以上とする必要がある。以上のことから、距離Ｄ１の値としては、３０〜８０μｍの範囲内の値が望ましい。
〔電極の変形例〕
図１３は表示電極の形状の変形例を示す。電極配置の模式図である図１３（Ａ）では、図３と同様に３行４列のマトリクスが例示されており、個々のセルの位置が一点鎖線の楕円で示されている。表示電極の要部の拡大図である図１３（Ｂ）では金属膜の図示が省略されている。
【００３７】
表示電極Ｘｂ，Ｙｂのそれぞれは、面放電ギャップを形成する太い帯状の透明導電膜４１ｂと、電気抵抗を下げるバス導体である細い帯状の金属膜４２ｂとから構成されている。表示電極Ｘｂの形状は表示電極Ｙｂの形状と同じである。ここでは、表示電極Ｙｂに注目して形状を説明する。
【００３８】
図１３（Ｂ）のように、表示電極Ｙｂは、水平壁２９２よりも幅が大きく、かつ水平壁２９２と重なる部分の両側に水平壁２９２に沿って一定間隔で並ぶ複数の四角形の穴が空いた線対称の帯状に形成される。表示電極Ｙｂを列方向に２分割した２つの梯子状の部分ｙｂ１，ｙｂ２のそれぞれが１行の表示に関わる。片側の部分ｙｂ１は、水平壁２９２と重なる位置で１行分のセルに跨る第１の水平帯パターン４１１ｂと、水平壁２９２と重ならない位置で１行分のセルに跨る第２の水平帯パターン４１２ｂと、垂直壁２９１と重ならない位置で第１の水平帯パターン４１１ｂと第２の水平帯パターン４１２ｂとを連結する複数の垂直帯パターン４１３ｂとからなる。残りの片側の部分ｙｂ２も部分ｙｂ１と同様である。表示電極Ｙｂの形状も図３の形状と同様に、基板対の位置合わせのずれの影響の低減の上で有利である。垂直帯パターン４１３ｂが少ないほど、ずれの影響が小さい。しかし、導電性を確保するためには垂直帯パターン４１３ｂを省略することはできない。
【００３９】
表示電極Ｙｂの特徴は、垂直帯パターン４１３ｂが特定のセルのみに配置されていることである。具体的には、発光色が緑（Ｇ）のセルのみに垂直帯パターン４１３ｂが配置され、発光色が赤（Ｒ）のセルおよび発光色が青（Ｂ）のセルでは水平帯パターン４１１ｂと水平帯パターン４１２ｂとが完全に離れている。赤のセルおよび青のセルには、緑のセルの垂直帯パターン４１３ｂを介して、金属膜４２ｂから放電電流が供給される。
【００４０】
垂直帯パターン４１３ｂを有するセルは、他のセルと比べて放電領域が広く、輝度が高い。ＲＧＢの３色の中でいずれか１つの色のセルに垂直帯パターン４１３ｂを配置するならば、比視感度の最も大きいＧのセルに配置するのが高輝度化の上で最適である。
【００４１】
一方、表示電極Ｙｂとアドレス電極Ａとの間の放電における放電開始電圧は、蛍光体の材質に依存する。一般に、発光色によって放電開始電圧が異なる。全セルに均等に電極が配置されたプラズマディスプレイパネルにおいて、例えば、Ｒの蛍光体として（Ｙ，Ｇｄ）ＢＯ３  ：Ｅｕ３＋、Ｇの蛍光体としてＺｎ２  ＳｉＯ４  ：Ｍｎ２＋、Ｂの蛍光体としてＢａＭｇＡｌ１０Ｏ１７：Ｅｕ２＋を用いた場合、全セルでアドレス放電を生じさせるときの放電開始電圧Ｖｆｎは、Ｒのセルでは１７５ボルト、Ｇのセルでは２０５ボルト、Ｂのセルでは２００ボルトであるという測定結果が得られた。
【００４２】
垂直帯パターン４１３ｂを配置すれば、配置しない場合よりも電極面積が大きくなる。つまり、垂直帯パターン４１３ｂの配置には放電開始電圧Ｖｆｎを低下させる効果がある。したがって、Ｒ，Ｇ，Ｂの３色から放電開始電圧Ｖｆｎの高い順に１色または２色を選択し、選択した色のセルのみに垂直帯パターン４１３ｂを配置すれば、放電開始電圧Ｖｆｎの差異が低減されてアドレス放電条件が均等化されるので、駆動電圧の設定の許容範囲（マージン）が拡がる。
【００４３】
図１４はアドレス電極の形状の変形例を示す。上述の駆動シーケンスによってプログレッシブ表示を行う場合には、各表示電極Ｙを共用する隣り合った２行において、アドレス放電の放電開始電圧をほぼ同等にするのが望ましい。特に、アドレッシングの順序をサブフレームごとに切り換えるシーケンスにおいて放電開始電圧の均等化は重要である。放電開始電圧に差があると、前半アドレッシングの対象が放電開始電圧の低い行であるサブフレームにおいて、アドレス放電によって過剰な電荷が蓄積されて誤放電が生じるおそれがある。
【００４４】
図示のとおり、アドレス電極Ａｂは、表示電極Ｙと対向する部分が局部的に太い帯状に形成される。アドレス電極Ａｂの太い部分であるパッドは、隔壁２９の水平壁から離れ、かつ水平壁に対して対称となる位置に配置されている。パッドの配置により、基板対の位置合わせがずれてもアドレス電極Ａｂにおける表示電極Ｙとの対向面積がほとんど変わらないので、セル間の放電開始電圧のばらつきは生じない。
【００４５】
【発明の効果】
請求項１ないし請求項１０の発明によれば、表示電極の配列形態が共用型である画面での安定したプログレッシブ表示を実現することができる。
【図面の簡単な説明】
【図１】プラズマディスプレイ装置の構成図である。
【図２】プラズマディスプレイパネルのセル構造を示す図である。
【図３】電極配置の模式図である。
【図４】表示電極の構成を示す図である。
【図５】表示電極の構成の変形例を示す図である。
【図６】フレーム分割の概念図である。
【図７】サブフレーム期間の内訳を示す図である。
【図８】駆動シーケンス図である。
【図９】アドレッシングにおける行選択の順序を示す図である。
【図１０】駆動電圧波形の一例を示す図である。
【図１１】表示電極のパターン寸法と輝度との関係を示す図である。
【図１２】表示電極のパターン寸法と発光効率との関係を示す図である。
【図１３】表示電極の形状の変形例を示す図である。
【図１４】アドレス電極の形状の変形例を示す図である。
【符号の説明】
１００  プラズマディスプレイ装置
１  プラズマディスプレイパネル
７０  駆動ユニット
５１  画面
２９１  垂直壁
２９２  水平壁
２９  隔壁（放電障壁）
Ｘ，Ｘ’，Ｘｂ  表示電極（第１表示電極）
Ｙ，Ｙ’、Ｙｂ  表示電極（第２表示電極）
Ａ，Ａｂ  アドレス電極
７６  Ｘドライバ（第１ドライバ）
７７  Ｙドライバ（第２ドライバ）
７８  Ａドライバ（第３ドライバ）
７１  コントローラ
ｙ１，ｙ２  部分
ｙｂ１，ｙｂ２  部分
４１１，４１５，４１１ｂ  第１の水平帯パターン
４１２，４１６，４１２ｂ  第２の水平帯パターン
４１３，４１７，４１３ｂ  垂直帯パターン
Ｄ１  平面視距離
【図１】
2005026011.tif 000003
【図２】
2005026011.tif 000004
【図３】
2005026011.tif 000005
【図４】
2005026011.tif 000006
【図５】
2005026011.tif 000007
【図６】
2005026011.tif 000008
【図７】
2005026011.tif 000009
【図８】
2005026011.tif 000010
【図９】
2005026011.tif 000011
【図１０】
2005026011.tif 000012
【図１１】
2005026011.tif 000013
【図１２】
2005026011.tif 000014
【図１３】
2005026011.tif 000015
【図１４】
2005026011.tif 000016